(57)【特許請求の範囲】
【請求項１】
機体の前面壁にカード出入口を開口し、機体の内部には前記カード出入口に連通するカード処理機構を配設し、前記カード処理機構より搬送されてきたカードを前記カード出入口より機外へ送り出すようにしたカード処理装置において、
前記機体の前面壁には、カード出入口を両側から挟むようにして機体の前面壁に突設された左右一対の支持板と、前記支持板間に開閉自由に取り付けられたカバーとが備えられており、前記カバーは、閉成状態ではカード出入口の前方に対向位置し開成状態ではカード出入口の上方に前壁部に対して直角となる前板部と、前板部に連続する上板部と、前板部と上板部とに連続する左右の側板部とを有し、閉成状態でカード出入口がカバーの前板部、上板部、および両側板部により前方、上方、および両側方が覆われるようになっており、前記カバーの両側板部と両側の支持板との間には、一方に突軸が突設され、他方に前記突軸が回動自由に嵌まる軸受穴が形成されて成るカード処理装置。
【請求項２】
前記の各突軸の先端部には、先端面と軸受穴への挿入側の周面との間を切り欠いたテーパ面が形成されている請求項１に記載されたカード処理装置。
【請求項３】
前記カード出入口は、カード処理機構より機外へカードを送り出すためのカード送出口と、カードを機外よりカード処理機構へ取り込むためのカード取込口とを兼ねている請求項１に記載されたカード処理装置。
【発明の詳細な説明】
【０００１】
【産業上の利用分野】
この発明は、貨幣の投入によりプリペイドカードなどのカード（以下、単に「カード」という）を発行するカード発行機や、その種カードの投入により所定の物品を販売する自動販売機などに適用される技術であり、特にこの発明は、パチンコホールのような遊戯場において、パチンコ機やスロットマシンなどの遊戯機に隣接して配置される台間機に用いられるカード処理装置に関する。
【０００２】
【従来の技術】
一般にパチンコホールのような遊戯場には、図１２に示すように、パチンコ機やスロットマシンのような多数台の遊戯機１０１が整列状態で配置されている。各遊戯機１０１には、パチンコ球やメダルのような遊戯媒体を貸し出すための台間機１０２が隣接してそれぞれ配設される共に、対をなす遊戯機１０１と台間機１０２とが電気的に接続されている。
【０００３】
前記台間機１０２は、遊戯媒体の貸出を受けるためのカードを発行する機能と、その台間機１０２や他の台間機１０２、さらに専用のカード発行機１０３で発行されたカードを受け付ける機能とを有しており、図１３に示すように、機体１０４の前面壁１０４ａに、所定の紙幣（例えば千円紙幣）を受け付ける貨幣受付口１０５の他、カード出入口１０６や操作スイッチ１０７などが設けられている。
【０００４】
この台間機１０２の貨幣受付口１０５へ千円紙幣が投入されると、機体１０４の内部に組み込まれたカード処理機構（図示せず）が作動し、所定の情報が記録されたカードを発行すると共に、このカードを前記カード出入口１０６より送り出す。
発行されたカードを遊戯者がそのまま使用したい場合は、前記操作スイッチ１０７を押操作することにより、カードがカード処理機構に取り込まれ、隣の遊戯機１０１でゲームの実行が可能となる。
この台間機１０２で他の台間機１０２やカード発行機１０３が発行したカードを使用したい場合は、前記カードを台間機１０２のカード出入口１０６へ外部より挿入することになる。
【０００５】
【発明が解決しようとする課題】
しかしながら、従来の台間機１０２では、カード出入口１０６は機体１０４の前面壁１０４ａに開口状態で存在するので、遊戯場内の塵芥や煙草の灰などが前記カード出入口１０６より機体１０４の内部へ侵入し易く、カード出入口１０６と連通するカード処理機構が故障する要因となる。
またカード出入口１０６よりカードが送り出されたとき、そのカードは遊戯者により抜き取られるか、または操作スイッチ１０７の投入操作があるまでの間は、機体１０４の前面壁１０４ａより突き出た状態のままであるため、カードの保護機能にも欠ける。
さらにカード出入口１０６は開口状態で露出しているので、このカード出入口１０６から悪戯や不正行為が行われ易く、トラブルの発生やカード処理機構の損傷を招くという問題もある。
【０００６】
この発明は、上記問題に着目してなされたもので、カード出入口を開閉可能なカバーで覆うことにより、塵芥の侵入などに起因するカード処理機構の故障を防止し、またカードの保護機能も向上させ、加えて悪戯や不正行為を抑制できるカード処理装置を提供することを目的とする。
【０００７】
【課題を解決するための手段】
この発明によるカード処理装置は、機体の前面壁にカード出入口を開口し、機体の内部には前記カード出入口に連通するカード処理機構を配設し、前記カード処理機構より搬送されてきたカードを前記カード出入口より機外へ送り出すようにしたものであって、前記機体の前面壁には、カード出入口を両側から挟むようにして機体の前面壁に突設された左右一対の支持板と、前記支持板間に開閉自由に取り付けられたカバーとが備えられている。前記カバーは、閉成状態ではカード出入口の前方に対向位置し開成状態ではカード出入口の上方に前壁部に対して直角となる前板部と、前板部に連続する上板部と、前板部と上板部とに連続する左右の側板部とを有し、閉成状態でカード出入口がカバーの前板部、上板部、および両側板部により前方、上方、および両側方が覆われるようになっている。前記カバーの両側板部と両側の支持板との間には、一方に突軸が突設され、他方に前記突軸が回動自由に嵌まる軸受穴が形成されている。
【０００８】
請求項２の発明では、前記の各突軸の先端部には、先端面と軸受穴への挿入側の周面との間を切り欠いたテーパ面が形成されている。
【０００９】
請求項３の発明では、前記カード出入口は、カード処理機構より機外へカードを送り出すためのカード送出口と、カードを機外よりカード処理機構へ取り込むためのカード取込口とを兼ねている。
【００１０】
【作用】
機体の前面壁にカバーを開閉自由に取り付けてカード出入口を覆うようにしたので、カード出入口より塵芥などが侵入しない。また機体の前面壁よりカードが突出しても、そのカードはカバーにより防護される。さらにカード出入口に対して悪戯や不正行為を行うには、カバーを開放する操作を伴うので、悪戯や不正行為がやりづらくなる。
【００１１】
請求項２のカード処理装置では、機体の前面壁に突設された左右一対の支持板と、支持板間に開閉自由に取り付けられるカバーの両側板部との間には、一方に突軸が突設され、他方に前記突軸が回動自由に嵌まる軸受穴が形成されると共に、各突軸の先端部には、先端面と軸受穴への挿入側の周面との間を切り欠いたテーパ面を形成したので、カバーの取付時、各突軸はテーパ面のくさび作用により両支持板を押し広げて各支持板の内側へ入り込む。
また嵌合時は、テーパ面と反対側の周面が抜け方向を向くので、各突軸は抜け止め状態が得られ、軸受穴に確実に嵌合する。
【００１２】
請求項３のカード処理装置では、前記カード出入口は、カード処理機構より機外へカードを送り出すためのカード送出口と、カードを機外よりカード処理機構へ取り込むためのカード取込口とを兼ねているので、遊戯機に隣接配置される台間機の場合、発行されたカードを抜き取るのに、カバーの開放操作が必要となり、その煩雑さが遊戯者の意識をカードの即使用に向かわせる。
【００１３】
【実施例】
図１は、この発明を台間機１に実施したカード処理装置の外観を示す。
図示例の台間機１は、パチンコホールなどの遊戯場において、パチンコ機やスロットマシンなどの遊戯機に隣接して配置されるものであって、縦長箱体の機体２と、この機体２を各遊戯機の一側面、すなわち隣合う遊戯機間の間隙に配置するための支持枠体３とで構成される。
【００１４】
前記機体２の前面壁２ａには、上部側に表示ランプ１１および縦長スリット状の貨幣受付口１２が、高さ中央部に操作スイッチ１３および施錠用の鍵孔部１４が、下部側に縦長スリット状のカード出入口１５および情報表示部１６が、それぞれ設けられている。
【００１５】
前記表示ランプ１１は、機体２の動作状態を報知するためのものであり、正常動作時は消灯し、機体２内に異常が発生したとき、点滅または点灯する。
前記貨幣受付口１２は、紙幣（この実施例では、千円紙幣）を受け付ける部分であり、この貨幣受付口１２の内側には、紙幣を内部に取り込んでその真偽判別および金種判別を行った上でストックする紙幣処理機構１７が設けられている。
【００１６】
前記カード出入口１５は、前記貨幣受付口１２へ千円紙幣が投入されたとき、カードＭを発行したり、この発行したカードＭ、さらには他の台間機やカード発行機（図示せず）で発行されたカードＭの投入を受け付けたりする部分である。このカード出入口１５の内側には、カードＭの搬出入を行うための機能，カードＭに対する所定の情報を読み書きする機能，金額価値がゼロのカードを収容する機能などを備えたカード処理機構１８が設けられている。
【００１７】
前記操作スイッチ１３は、カード出入口１５から送り出されたカードＭをそのまま投入する際に使用される。この操作スイッチ１３を押操作すると、この台間機１で発行されたカードＭは逆戻りしてカード処理機構１８内に取り込まれる。
前記情報表示部１６は、貨幣受付口１２で受け付けられた紙幣の金額を表示する他、この台間機１におけるカードの総売上などの情報を適宜表示する。
なお、この機体２の底部には、上記の各部に電源を供給するための電源ユニット（図示せず）が収納される。
【００１８】
図２は、前記カード処理機構１８の構成例を示す。
図示例のカード処理機構１８は、ハウジング１８Ａの前面に、前記カード出入口１５に連通するカード搬出入口２１が開設され、内部には、奥行き方向にカードＭの幅および厚みに応じた搬送路２２が形成されている。この搬送路２２の前寄の位置には第１のカード搬送機構２３が配備され、その奥には情報の読み書きを行うための磁気ヘッド２４が配備されている。
【００１９】
前記カード搬送機構２３は、前後二対の送りローラ２５，２５，２６，２６と伝動ベルト２７，２７とモータ２８とで構成され、モータ２８の回転は後側の送りローラ２６，２６に与えられた後、伝動ベルト２７，２７を介して前側の送りローラ２５，２５へ伝えられる。
【００２０】
前記カード搬送機構２３とカード搬出入口２１との間には第１の光電センサＰＨ１が、カード搬送機構２３の前側の送りローラ２５の後側位置には第２の光電センサＰＨ２が、それぞれ配備されている。また磁気ヘッド２４の後側には、第３，第４の各光電センサＰＨ３，ＰＨ４が所定間隔を隔てて配備されている。
【００２１】
前記搬送路２２の光電センサＰＨ４の後側には、カードの長さに相当する余裕部分が設けられている。この余裕部分は、書換え処理により金額価値がゼロになったカードＭを収容するためのカード収容部２９として機能するもので、その前側位置には第２のカード搬送機構３０が配備されている。このカード搬送機構３０は、カード収容部２９に対するカードＭの搬出入を行うためのもので、一対の送りローラ３１，３１とモータ３２とウォームホイールおよびウォームギヤより成る伝動機構３３とで構成される。
なお、このカード収容部２９の後端には、カードＭの収容を確認するための第５の光電センサＰＨ５が配備される。
【００２２】
前記機体２の前面壁２ａには、前記カード出入口１５の位置に対応して、図３〜図５に示す構成のカバー取付部４１が設けられている。
図示のカバー取付部４１は、前記カード出入口１５を両側より挟むようにして機体２の前面壁２ａに突設された左右一対の支持板４２，４２と、前記カード出入口１５を前方から覆うように前記支持板４２，４２間に取り付けられたカバー４３とから成る。なお、前記支持板４２，４２およびカバー４３は、例えば合成樹脂材で形成される。
【００２３】
各支持板４２は、内側面の上部位置に、円形の軸受穴４４がそれぞれ凹設されると共に、内側面の下半分を厚肉部に形成してストッパ部４５となしている。
【００２４】
前記カバー４３は、前板部４６と、前板部４６に連続する上板部４７と、前板部４６と上板部４７とに連続して形成された左右の側板部４８，４８とから成る。前記前板部４６は、図７に示す閉成状態では、前記カード出入口１５の前方に対向位置し、図６に示す開成状態では、カード出入口１５の上方に前面壁２ａに対して直角となる。
両方の側板部４８，４８は、前記前板部４６の板面とほぼ平行をなす後端縁４８ａ，４８ａを有し、図７に示す閉成状態のとき、各側板部４８の後端縁４８ａは各支持板４２の前記ストッパ部４５の前面と当接する。
【００２５】
各側板部４８には、前記後端縁４８ａより後方へ突出する突壁部４９がそれぞれ一体形成されている。各突壁部４９は、先端縁が円弧状をなし、上板部４７の後端縁はこの円弧の途中まで延びている。
なお、前記カバー４３の幅Ｗは、両支持板４２，４２の内側面の上部間の間隔Ｗ１よりわずかに小さく設定される。
【００２６】
各側板部４８の突壁部４９には、各支持板４２の軸受穴４４に嵌まる円柱状の突軸５０が外向きにそれぞれ一体形成されている。各軸受穴４４に各側板部４８の突軸５０をそれぞれ嵌入すれば、前記カバー４３は、図６に示すカード出入口１５の開放位置と、図７に示すカード出入口１５の閉鎖位置との間で回動自由に枢支される。
【００２７】
各突軸５０の先端部には、図８および図９に示すように、各突軸５０の先端面５０ａと、軸受穴４４への挿入側の周面５０ｂとの間を斜めに切り欠いたテーパ面５０ｃが形成されている。
【００２８】
上記構成のカバー４３を支持板４２，４２間に取り付けるには、両側板部４８，４８の後端縁４８ａ，４８ａを各支持板４２に対向させた状態、すなわちカバー４３を図５に示す向きおよび姿勢にして、左右の突軸５０を各側板部４８の後端縁４８ａが各支持板４２のストッパ部４５の前面に突き当たるまで押し込むことにより、各突軸５０を各軸受穴４４へ嵌入させる。
【００２９】
この押込み時、各突軸５０にはテーパ面５０ｃが形成してあるので、図８に示すように、各突軸５０の先端部はくさび作用により両支持板４２，４２を押し広げて各支持板４２の内側へ入り込んだ後、図９に示すように、各軸受穴４４へ嵌まり込む。
嵌入時は、各突軸５０のテーパ面５０ｃが前面壁２ａと向き合う方向、すなわちカバー４３の挿入方向（図中、矢印Ｐで示す）を向き、テーパ面５０ｃと反対側の周面が抜け方向（図中、矢印Ｑで示す）を向くので、各突軸５０は抜け止め状態となり、カバー４３の脱落が防止される。
【００３０】
前記カバー４３の支持板４２，４２間への取付は、両側板部４８，４８の後端縁４８ａ，４８ａを水平にした状態、すなわちカバー４３を図６に示す向きおよび姿勢にして、各突軸５０を各側板部４８の突壁部４９が各支持板４２のストッパ部４５の上面に突き当たるまで押し込むことにより、各突軸５０を各軸受穴４４へ嵌入してもよい。
【００３１】
この取付方法でも、押込み時、各突軸５０のテーパ面５０ｃが支持板４２の方向を向くので、各突軸５０の先端部はくさび作用により両支持板４２，４２を押し広げて各支持板４２の内側へ入り込んだ後、各軸受穴４４へ嵌まり込む。
嵌入時は、各突軸５０のテーパ面５０ｃが支持板４２のストッパ部４５の上端面と向き合う方向、すなわちカバー４３の挿入方向（下方向）を向き、テーパ面５０ｃと反対側の周面が抜け方向を向くので、各突軸５０は抜け止め状態となり、カバー４３の脱落が防止される。
【００３２】
上記構成の台間機１において、待機状態では、カバー４３は図７に示す閉成状態にあり、カード出入口１５は、カバー４３の前板部４６，上板部４７，および両側板部４８，４８により３方（前方，上方，および両側方）が覆われている。
このようにカード出入口１５がカバー４３で覆われていると、カード出入口１５から塵芥や煙草の灰などが機体２内に入りにくく、カード処理機構１８の故障を招くおそれはない。
またカード出入口１５にカバー４３が存在するので、遊戯者がカード出入口１５へ異物を挿入するなどの悪戯や不正行為が行われにくくなる。
【００３３】
いまカード収容部２９にカードＭが収容された状態で貨幣受付口１２より千円紙幣が投入されると、図示しない制御部は、カード搬送機構２３，３０の各モータ２８，３２を駆動して正回転させる。これによりモータ３２の回転運動が伝動機構３３を介して送りローラ３１，３１へ与えられ、カード収容部２９内のカードＭが前方へ搬出される。
【００３４】
第３，第４の各光電センサＰＨ３，ＰＨ４間の間隔はカードの情報記憶領域の長さに応じて設定されており、制御部は、光電センサＰＨ４，ＰＨ３の順にオンになったことを確認した後、光電センサＰＨ４がオフになった時点で前記磁気ヘッド２４による情報の書込みを開始する。
なお、磁気ヘッド２４による情報の書込みは、光電センサＰＨ３がオフになった時点で終了する。
【００３５】
第２の光電センサＰＨ２がオンからオフに切り換わった時点で、制御部は、前記カード搬送機構２３，３０の各モータ２８，３２を停止させる。このとき第１の光電センサＰＨ１はオンの状態にあり、この光電センサＰＨ１がオフに切り換わったとき、制御部は、カード出入口１５よりカードＭが引き抜かれたものと認識する。
【００３６】
カードＭがカード出入口１５へ送り出されると、カードＭは機体２の前面壁２ａより前方へ突出するが、図７に示すように、カードＭの突出部分がカバー４３で覆われているので、カードＭが保護されて損傷が防止される。
遊戯者がカードＭを引き抜く際には、前記カバー４３を図６に示すように上方へ押し開けて開放状態に設定すれば、容易にカードＭを引き抜くことが可能である。
もっともカードＭの引抜きには、カバー４３の開放操作を必要とするため、その煩雑さが遊戯者の意識をカードの即使用に向かせることになり、特にこの実施例のような台間機１については、売上を向上させる効果がある。
【００３７】
光電センサＰＨ１がオンのままで前記操作スイッチ１３の押操作による電気信号が得られたとき、制御部はカード搬送機構２３のモータ２８を駆動して逆回転させ、カードＭを後方へ搬送する。以下、光電センサＰＨ２，ＰＨ３が順にオンに切り換わると、制御部はカード情報の読取りを開始し、さらに隣接する遊戯機への遊戯媒体の貸出処理に基づき前記したカード情報の書換えを行う。そして制御部は、この処理によりカードの有する金額価値がゼロになったとき、第２のカード搬送機構３０のモータ３２を逆回転させてカードＭをカード収容部２９に収容する。
【００３８】
なお、他の台間機またはカード発行機で発行されたカードＭが挿入された場合は、第１の光電センサＰＨ１がオンになったことに応じて、カード搬送機構２３が作動し、カードＭが内部に取り込まれる。この場合、カード収容部２９内にカードＭが収容されている場合は、処理後のカードＭはカード搬出入口２１へ搬出される。一方、カード収容部２９内にカードＭが収容されておらず、かつ投入されたカードＭの書換え処理後の金額価値がゼロであれば、このカードＭは、カード収容部２９内に収容される。
【００３９】
図１０は、この発明の他の実施例である台間機１のカバー取付部４１を示す。この実施例では、前記の各突軸５０は各支持板４２の方に設け、一方、各突軸５０がそれぞれ嵌まる軸受穴４４はカバー４３の突壁部４９の方に形成してある。
【００４０】
なお、上記の各実施例では、カード出入口１５はカードＭを縦向けにして挿脱するよう縦長スリット状に形成されているが、図１１に示すように、カードＭが横向けにして挿脱される横長スリット状のカード出入口１５についてもカバー４３を取り付けることができる。この場合、カバー４３はカード出入口１５の幅に応じた幅に形成される。
【００４１】
さらにこの発明は、台間機１に限らず、カード発行機のカード送出口にも実施でき、またカード利用の各種自動販売機のカード取込口にも実施できる。
【００４２】
【発明の効果】
この発明は上記の如く、機体の前面壁にカバーを開閉自由に取り付けてカード出入口を覆うから、カード出入口より塵芥や煙草の灰などが侵入せず、カード処理機構の故障を招くおそれがない。また機体の前面壁よりカードが突出しても、そのカードをカバーにより防護できる。さらにカード出入口にカバーが存在するので、カード出入口に対する悪戯や不正行為がやりづらく、不正防止効果も期待できる。
【００４３】
請求項２の発明では、機体の前面壁に突設された左右一対の支持板と、支持板間に開閉自由に取り付けられるカバーの両側板部との間に、一方に突軸を突設し、他方に前記突軸が回動自由に嵌まる軸受穴を形成すると共に、各突軸の先端部には、先端面と軸受穴への挿入側の周面との間を切り欠いたテーパ面を形成したから、カバーの取付時、各突軸はテーパ面のくさび作用により両支持板を押し広げて各支持板の内側へ入り込むため、カバーの取付が容易である。また嵌合時は、テーパ面と反対側の周面が抜け方向を向くので、各突軸は抜け止め状態が得られ、軸受穴に確実に嵌合するため、カバーの離脱が防止される。
【００４４】
請求項３の発明では、前記カード出入口は、カード処理機構より機外へカードを送り出すためのカード送出口と、カードを機外よりカード処理機構へ取り込むためのカード取込口とを兼ねているから、遊戯機に隣接配置される台間機の場合、発行されたカードを抜き取るのに、カバーの開放操作が必要となり、その煩雑さが遊戯者の意識をカードの即使用に向かわせ、売上を向上させる。
【図面の簡単な説明】
【図１】この発明の一実施例である台間機の外観を示す斜視図である。
【図２】カード処理機構の概略構成を示す縦断面図である。
【図３】カバー取付部を拡大して示す正面図である。
【図４】カバー取付部を拡大して示す平面図である。
【図５】カバー取付部を拡大して示す分解斜視図である。
【図６】開放状態のカバー取付部を拡大して示す側面図である。
【図７】閉成状態のカバー取付部を拡大して示す側面図である。
【図８】支持板にカバーを取り付ける際のカバー取付部を拡大して示す一部を破断した平面図である。
【図９】支持板にカバーを取り付けたときのカバー取付部を拡大して示す一部を破断した平面図である。
【図１０】この発明の他の実施例である台間機のカバー取付部を拡大して示す分解斜視図である。
【図１１】この発明の他の実施例である台間機のカバー取付部を拡大して示す分解斜視図である。
【図１２】従来の台間機の実施状況を示す正面図である。
【図１３】従来の台間機の外観を示す正面図である。
【符号の説明】
１    台間機
２    機体
２ａ  前面壁
１５  カード出入口
１８  カード処理機構
４２  支持板
４３  カバー
４４  軸受穴
４８  側板部
５０  突軸
５０ｃ  テーパ面
【図１】
0003612398.tif 000002
【図２】
0003612398.tif 000003
【図３】
0003612398.tif 000004
【図４】
0003612398.tif 000005
【図５】
0003612398.tif 000006
【図６】
0003612398.tif 000007
【図７】
0003612398.tif 000008
【図８】
0003612398.tif 000009
【図９】
0003612398.tif 000010
【図１０】
0003612398.tif 000011
【図１１】
0003612398.tif 000012
【図１２】
0003612398.tif 000013
【図１３】
0003612398.tif 000014